(57)【特許請求の範囲】
【請求項１】
ヒト足裏表面の輪郭に略合致する形状を有するポリウレタンフォーム層の上側面に繊維層を配置してなる履物用インソールであって、該繊維層が、カシミヤ、ウール、モヘア、アルパカ、アンゴラ、キャメル及びラマからなる群から選択される少なくとも一種の獣毛及びレーヨンからなる親水性繊維の繊維絡合体からなるものである、履物用インソール。
【請求項２】
ポリウレタンフォーム層が、インソールの土踏まず部分に足の土踏まず形状に略合致する隆起部を有するとともに、若干凹状に歪曲した前足付近部から指先部方向に上向傾斜してなる形状を有するものである請求項１に記載の履物用インソール。
【請求項３】
親水性繊維が、抗菌繊維であることを特徴とする請求項１又は２に記載の履物用インソール。
【請求項４】
繊維層が、獣毛及び親水性繊維を獣毛：親水性繊維＝８５：１５〜５０：５０の割合で含むものである請求項１乃至３のいずれかに記載の履物用インソール。
【請求項５】
繊維層の目付が２０〜３００ｇ／ｍ2であり、ポリウレタンフォーム層の硬度が２〜８０度である請求項１乃至４のいずれかに記載の履物用インソール。
【発明の詳細な説明】
【０００１】
【発明の属する技術分野】
本発明は、保温感に優れた履物インソールに関する。より詳細には、本発明はヒト足裏表面の輪郭に実質的に合致する立体形状を有する特定の積層体からなることを特徴とする、保温感に優れかつ軽量で安価な保温用履物インソールに関する。
【０００２】
【従来の技術】
従来から、防臭・抗菌性、保温性等といった各種機能を有する履物用インソールが提案、開発されている。
【０００３】
保温用のインソールについても種々提案、開発されているが、ビジネスシューズやパンプス等など主としてフォーマルシューズのインソールとしては、靴着用感が妨げられない平板状のものが主流となっている。
【０００４】
しかしながら、平板状の保温用インソールは足に接する面積が小さく、官能的に暖かみが感じられにくいという問題がある。
【０００５】
【発明が解決しようとする課題】
本発明は、足裏に対応した立体形状を有して、靴着用時に足に心地よくフィットし違和感を与えず、保温感に優れた履物用インソールを提供することを目的とする。更に本発明は、保温感に優れるとともに、抗菌性及び防臭性等の複合機能を兼ね備えた保温用履物インソールを提供することを目的とする。
【０００６】
【課題を解決するための手段】
本発明者らは、冬期においても足当たりの感触が暖かく保温効果を有し、しかも着用時に違和感を与えない保温用履物インソールを開発するために種々研究を重ねていたところ、表面層として繊維層を、その下側層としてポリウレタンフォームからなる層を用いて、これらの異種層の積層体を素材シートとして、更にそれを足裏形状に対応した立体形状とすることによって、上記目的に適合した履物用インソールが作成できることを見出し、更に繊維層としてカシミヤと親水性繊維との混用繊維の絡合体を用いることによって一層保温性が向上することを確認した。更に本発明者らは、繊維層の親水性繊維として特定割合の抗菌繊維を用いることにより抗菌性及び防臭性にも優れる保温用履物インソールとなることを見出して、本発明を開発するに至った。
【０００７】
すなわち、本発明は次に掲げる履物用インソールである。
【０００８】
（１）ヒト足裏表面の輪郭に略合致する形状を有するポリウレタンフォーム層の上側面に繊維層を配置してなる履物用インソール。
【０００９】
（２）上記繊維層が、カシミヤ、ウール、モヘア、アルパカ、アンゴラ、キャメル及びラマからなる群から選択される少なくとも一種の獣毛を含有するものであることを特徴とする（１）記載の履物用インソール。
【００１０】
（３）繊維層が、カシミヤ、ウール、モヘア、アルパカ、アンゴラ、キャメル及びラマからなる群から選択される少なくとも一種の獣毛及び親水性繊維の繊維絡合体からなるものである（２）記載の履物用インソール。
【００１１】
（４）ポリウレタンフォーム層が、インソールの土踏まず部分に足の土踏まず形状に略合致する隆起部を有するとともに、若干凹状に歪曲した前足付近部から指先部方向に上向傾斜してなる形状を有するものである（１）乃至（３）のいずれかに記載の履物用インソール。
【００１２】
（５）親水性繊維が、抗菌繊維であることを特徴とする（３）又は（４）記載の履物用インソール。
【００１３】
（６）繊維層が、獣毛及び親水性繊維を獣毛：親水性繊維＝８５：１５〜５０：５０の割合で含むものである（３）乃至（５）のいずれかに記載の履物用インソール。
【００１４】
（７）繊維層の目付が４０〜３００ｇ／ｍ2であり、ポリウレタンフォーム層の硬度が２〜８０度である（１）乃至（６）のいずれかに記載の履物用インソール。
【００１５】
【発明の実施の形態】
本発明の履物用インソールの特徴とするところは、表面層として繊維層を用い、その下側層としてポリウレタンフォームからなる層を用いて、これら異種層の積層体を、足裏表面形状に略合致する立体形状とした点である。
【００１６】
表面層として用いる繊維層としては、特に制限されず、素材として綿、麻又は羊毛，山羊毛等の獣毛等の天然繊維、レーヨン等の再生セルロース繊維、ビニロンなどの合成繊維を広く挙げることができるが、好適には該繊維層が、特定の獣毛を含有するものであり、より好適には該繊維層が獣毛及び親水性繊維の繊維絡合体からなるものである。
【００１７】
本発明で用いられる獣毛としては、特に制限されないが、一般にウールと称される羊毛、カシミヤ、ウール、モヘア又はアルパカ等の山羊毛、アンゴラと称される兎毛、キャメルと称されるラクダ毛、ラマと称されるラマ毛等を広く挙げることができる。好ましくはカシミヤ等の山羊毛である。なお、これらの獣毛は単一種を用いてもよいし、また２種以上を組み合わせて用いてもよい。
【００１８】
これらの獣毛は特に制限されず、毛の先部分にあたる剛毛（カシミヤ刺毛）、毛の根元付近の柔毛の別を問わない。好ましくは、柔毛である。
【００１９】
親水性繊維としては、親水性を有するものが広く用いられ、特に制限されないが、具体的には、ウール，綿等の天然繊維、レーヨン等の再生セルロース繊維、ビニロンなどの親水性を有する合成繊維等が例示される。尚、本質的には疎水性であっても、表面を微細構造とするか若しくは親水性樹脂等によって被覆処理することによって、親水化させた疎水性繊維を用いることもできる。好ましくは、ウール又はレーヨンである。
【００２０】
なおかかる親水性繊維は、インソール製品に抗菌性及び防臭性を付与するために、抗菌防臭剤で処理されてなる抗菌繊維であることが好ましい。
【００２１】
ここで用いられる抗菌防臭剤としては、特に制限されないが、例えば第四級アンモニウム塩、ピグアナイト系、無機金属複合化合物、グルコン酸クロルヘキシジン硫化銅等が挙げられる。これらの抗菌防臭剤は、対象とする繊維の種類によって異なるが、例えばウールや綿などの天然繊維の場合は後加工により繊維に吸着若しくは付着させることができ、またレーヨン等の再生繊維、ビニロン等の合成繊維といった人造繊維の場合は、繊維原液に抗菌防臭剤を練り込んで紡績することによって、抗菌繊維を調製することができる。
【００２２】
かかる抗菌親水性繊維としては、一般に抗菌繊維として従来公知のもの、及び将来得られるものを広く用いることができるが、より好適には、吸水吸汗性に優れ、且つ抗菌防臭効果の持続力が大きい練込み抗菌防臭レーヨンが例示される。
【００２３】
本発明における繊維層には、前述する獣毛と親水性繊維とを一定の割合で含有する混用繊維が用いられ、その混用率は通常獣毛：親水性繊維＝８５：１５〜５０：５０であり、好ましくは７５：２５〜６５：３５、より好ましくは７０：３０程度である。
【００２４】
本発明で用いられる繊維層の態様は、織布、不織布又はフェルトの別を問わないが、好適には、獣毛と親水性繊維とを所望の割合で混合した綿状体またはウエッブ積層体を自体公知の不織布製法を用いて絡合緻密化して調製されることが好ましい。ここで用いられる不織布製法は、特に制限されず各繊維に適した方法が採用できるが、通気性を良好に担保させるために、バインダーを用いない機械的接合法が好ましく、より好適にはニードルパンチ法が挙げられる。
【００２５】
繊維層の目付は、特に制限されないが、通常２０〜３００ｇ／ｍ2、好ましくは８０〜２００ｇ／ｍ2の範囲から選択される。厚さも特に制限されないが、下側面にポリウレタンフォーム層を配した場合の着用感および保温感等との兼ね合いから、通常０.３〜４ｍｍ、好ましくは０.５〜１.５ｍｍである。
【００２６】
本発明で用いられるポリウレタンフォーム層は、特に制限されることなく、ジイソシアネート及びポリオールから形成される発泡体を広く用いることができるが、好適には軟質ポリウレタンフォームであり、より具体的には硬度として２〜８０度、好ましくは２〜５０度、より好ましくは２〜１０度を有するものである。
【００２７】
かかるポリウレタンフォーム層は、調製されるインソール製品が履用時に足裏面により広く接触するように、足裏表面形状に略合致する立体形状に調製される。より具体的には、インソールの土踏まず接触相当部分に足の土踏まず形状に略合致する隆起部を有するとともに、前足部接触付近が若干凹状に湾曲しており、該湾曲部からインソールの指先部方向にかけて上向勾配を形成するように若干厚みを増した形状を有する立体形状であることが好ましい。
【００２８】
ポリウレタンフォーム層の厚みは、靴に中敷として配置使用した場合であっても嵩張らず靴の着用感を損なわない厚さであれば特に制限されないが、通常踵部接触部の厚さが０.３〜１０ｍｍ、好適には０.５〜５ｍｍであり、前足部付近の厚さが０.３〜１０ｍｍ、好適には０.５〜５ｍｍ、土踏まず部分の厚さが５〜３０ｍｍ、好適には１０〜２０ｍｍ、足指先付近の厚さが５〜２５ｍｍ、好適には７〜１８ｍｍであるものが挙げられる。
【００２９】
本発明の履物用インソールは、前記繊維層からなる表面層と上記ポリウレタン層とを積層し、一体化して調製される。積層体の調製方法は特に制限されず、従来公知の一体成形法を採用しても、またポリウレタンフォーム層及び表面層を別個に作成し、後からフォーム層に表面層を適当なバインダーを介して貼着若しくは熱融着する方法を採用してもよい。ここでバインダーは特に制限されないが、例えばエチレン−酢酸ビニルコーポリマー等の樹脂を例示することができる。
【００３０】
本発明のインソールの好適な態様は、上記表面層の裏面にポリウレタンフォーム層を配してなる二層の積層体であるが、これに限定されることなく、これらの二層の間もしくはポリウレタンフォーム層の下面にさらに疎水性層若しくは衝撃吸収層、高吸水性層等の各種機能性層を配していても良い。
【００３１】
このようにして調製される本発明の履物用インソールは、その表面層の素材及び構成にもとづいて、低温期であっても履用者に温もりのある着用感を与え、また吸汗性を有するとともに、その下側面に足裏形状にフィットしかつ適度なクッション性を有するポリウレタンフォーム層を配置することによって、放熱を抑制してより効率のよい保温効果を発揮することができる。さらに、本発明のインソールは通気性がよく、また靴内が高温及び高湿化するに伴って生じる菌の繁殖及び悪臭を防止することができる。
【００３２】
さらにまた、本発明の保温用履物インソールは、嵩張らず着用感に優れている。
【００３３】
【実施例】
以下、本発明の履物インソールの一例を実施例として示すが、本発明は当該実施例等によって何ら制限されるものではない。
【００３４】
実施例１
抗菌繊維として第四級アンモニウム塩変性物をビスコース原液中に混練し紡糸したレーヨンを用いて、表１記載の構成を有する繊維層を作成した。該繊維層が中敷の表面層になるように、エチレン−酢酸ビニルコーポリマーをバインダーとしてポリウレタンフォームに熱接着させ、１００〜２５０℃の温度をもたせた金型を用いてプレス加工し、立体形状を作成し、中敷形状に裁断した。
【００３５】
当該履物用インソールの構造は、図１の平面図、図２の斜視図及び図３乃至６の断面図に示される通りであり、符号１ａはインソールの指先部、符号１ｂはインソールの前足部付近、符号１ｃはインソールの土踏まず部分を示し、また符号２はカシミヤ及び親水性繊維の混用繊維絡合体からなる繊維層（表面層）であり、符号３は繊維層（表面層）の下側面に配置されたポリウレタンフォーム層である。
【００３６】
【表１】
0004150864.tif 000002
【００３７】
実験例１
実施例１で調製した履物用インソールについて、２５名のモニターによって実際に使用した場合の保温性、履き心地、クッション性、よれを評価した。比較対象インソールとして、表１に比較例１として記載する構成からなるインソールを用いた。結果を表２に示す。
【００３８】
【表２】
0004150864.tif 000003
【００３９】
実験例２
実施例１記載の履物用インソールにおいて、ポリウレタンフォームの代わりにポリエチレン、及びＥＶＡ発泡体を用いてそれぞれ同様に立体形状の履物用インソールを作成した。これらについて、履き心地を比較したところ、いずれも通気性がなく蒸れ感を感じて、履き心地が悪いという結果が得られた。
【図面の簡単な説明】
【図１】本発明の一例である履物用インソールの平面図である。
【図２】本発明の一例である履物用インソールの一部切欠斜視図である。
【図３】本発明の一例である履物用インソールのＡ−Ａ断面図である。
【図４】本発明の一例である履物用インソールのＢ−Ｂ断面図である。
【図５】本発明の一例である履物用インソールのＣ−Ｃ断面図である。
【図６】本発明の一例である履物用インソールのＤ−Ｄ断面図である。
【符号の説明】
１．  履物用インソール
１ａ．インソールの指先部
１ｂ．インソールの前足付近部
１ｃ．インソールの土踏まず部分
２．  繊維層（表面層）
３．  ポリウレタンフォーム層
【図１】
0004150864.tif 000004
【図２】
0004150864.tif 000005
【図３】
0004150864.tif 000006
【図４】
0004150864.tif 000007
【図５】
0004150864.tif 000008
【図６】
0004150864.tif 000009